(57)【要約】【課題】ギア列に設けられるバックラッシュに起因する表示面の角度変更時の衝撃音の発生を防止できる、静音性に優れる車両用ルームミラーを提供する。【解決手段】車両用ルームミラーは、筐体と、ミラーと、カムシャフトと、固定部と、駆動部とを備える。駆動部から伝達される駆動力により、カムシャフトが回転し、カムの作用により固定部に対して移動することに伴い、筐体、ミラー及び駆動部を含む可動部が全体的に傾動する。駆動部は、駆動源と、カムシャフトに配置される第１ギア及び第１ギアに噛み合う第２ギアを含み、駆動源の駆動力をカムシャフトに伝達するギア列と、を有する。第２ギアは、第１ギアに対して、弾性的に噛み合う。【選択図】図７
2018052459.tif 000002
【特許請求の範囲】
【請求項１】
筐体と、
前記筐体の前面に配置されるミラーと、
カムを有し、前記筐体に軸支されるカムシャフトと、
前記カムに当接するとともに、前記筐体に軸支される固定部と、
前記カムシャフトに、当該カムシャフトを回転させるための駆動力を付与する駆動部と、を備え、
前記駆動部から伝達される駆動力により、前記カムシャフトが回転し、前記カムの作用により前記固定部に対して前記カムシャフトが移動することに伴い、前記筐体、前記ミラー及び前記駆動部を含む可動部が全体的に傾動する車両用ルームミラーであって、
前記駆動部は、駆動源と、前記カムシャフトに配置される第１ギア及び前記第１ギアに噛み合う第２ギアを含み、前記駆動源の駆動力を前記カムシャフトに伝達するギア列と、を有し、
前記第２ギアは、前記第１ギアに対して、弾性的に噛み合っていることを特徴とする車両用ルームミラー。
【請求項２】
前記第２ギアの軸を固定する軸固定部材を備え、
前記軸固定部材は、弾性体で形成され、前記第１ギアに対して前記第２ギアを押し付けることを特徴とする請求項１に記載の車両用ルームミラー。
【請求項３】
前記軸固定部材は、板ばねであることを特徴とする請求項２に記載の車両用ルームミラー。
【請求項４】
前記第２ギアのギア固定軸を支持するとともに前記駆動部を収容し、前記筐体に取り付けられるブラケットと、
前記筐体と前記ブラケットとの間に介在する弾性部材と、を備えることを特徴とする請求項１から３のいずれか一項に記載の車両用ルームミラー。
【請求項５】
前記ブラケットは、前記筐体に対してねじ止めにより取り付けられ、
前記弾性部材は、Ｏリングであることを特徴とする請求項４に記載の車両用ルームミラー。
【請求項６】
前記ミラーはマジックミラーであり、さらに、前記マジックミラーの背面側に配置され、車載カメラからの画像を表示する表示装置を備えることを特徴とする請求項１から５のいずれか一項に記載の車両用ルームミラー。
【発明の詳細な説明】
【技術分野】
【０００１】
本発明は、車室内に取り付けられる車両用ルームミラーであって、表示面の傾斜角度を電動で調整できる車両用ルームミラーに関する。
【背景技術】
【０００２】
車両には、後方の視認性確保のため、後写鏡の設置が義務づけられている。従来、車室内に取り付けられる後写鏡（以下「ルームミラー」と称する）として、表示面（例えば鏡面）の傾斜角度を変更できる防眩式ルームミラーが知られている。防眩式ルームミラーによれば、後続車のヘッドライトが反射した際に運転者の運転行為が妨害されるのを防ぐことができる。
【０００３】
また、カメラで撮像した車両の後方視界を表示する表示装置（例えば液晶ディスプレイ）を内蔵し、さまざまな走行環境において運転者に鮮明な後方視界を提供できる電子ミラー装置が実用化されている。この種の電子ミラー装置は、入射光の一部を反射し、一部を透過させるマジックミラー（one-way mirror）を備え、マジックミラーの背面側に表示装置が配置される。電子ミラー装置においても、マジックミラー及び表示装置の視認性を確保するために、表示装置のオン／オフ状態に応じて表示面の傾斜角度を変更できるようになっている。
【０００４】
例えば、特許文献１には、運転者の顔又は視線が向いているミラーを角度調整の対象とし、運転者の声による角度調整の指示を受け付けて、表示面の傾斜角度を自動調整する技術が開示されている。
【０００５】
近年では、ハイブリッド車や電気自動車の進歩により、走行音はほとんどなくなっており、車室内の静粛性は極めて高い。そのため、車室内に設置されるルームミラーにおいても、静音性が要求される。表示面の傾斜角度を自動で変更する場合、モーター及びギア列を有する駆動部を適用することが、静音性の面で有利である。
【０００６】
この場合、例えば車室に取り付けられる支持部に接続された固定部に対して、筐体が回動可能に取り付けられる。また、筐体の軸受にカムシャフトが回転可能に取り付けられ、固定部に対してカムシャフトのカムが当接する。モーターの駆動力が、ギア列を介してカムシャフトに伝達され、カムシャフト及びカムが回転することにより、固定部に対してカムシャフトの位置が移動する。カムシャフトの移動に連動して、カムシャフトを軸支する筐体を含む可動部が、全体的に固定部に対して回動する。これにより、表示面の傾斜角度が変更される。
【先行技術文献】
【特許文献】
【０００７】
【特許文献１】特許第４７５４２９４号公報
【発明の概要】
【発明が解決しようとする課題】
【０００８】
ところで、ギア列を組み付ける場合、噛み合う２つのギアが自由に回転できるように、適度なバックラッシュが設けられる。ギア列の最後段のギア（カムシャフトに配置されるギア）と、これに噛み合うギアの組においては、表示面の傾斜角度の変更時にカムシャフトの移動に伴い負荷がかかり、バックラッシュが偏った状態となる。モーターの駆動が停止して負荷が解放されると、ギアの噛み合いが正常な状態に戻るため、その際に衝撃音が生じる。
【０００９】
本発明の目的は、表示面の傾斜角度を電動で調整できる車両用ルームミラーであって、ギア列に設けられるバックラッシュに起因する傾斜角度変更時の衝撃音の発生を防止できる、静音性に優れる車両用ルームミラーを提供することである。
【課題を解決するための手段】
【００１０】
本発明に係る車両用ルームミラーは、
筐体と、
前記筐体の前面に配置されるミラーと、
カムを有し、前記筐体に軸支されるカムシャフトと、
前記カムに当接するとともに、前記筐体に軸支される固定部と、
前記カムシャフトに、当該カムシャフトを回転させるための駆動力を付与する駆動部と、を備え、
前記駆動部から伝達される駆動力により、前記カムシャフトが回転し、前記カムの作用により前記固定部に対して前記カムシャフトが移動することに伴い、前記筐体、前記ミラー及び前記駆動部を含む可動部が全体的に傾動する車両用ルームミラーであって、
前記駆動部は、駆動源と、前記カムシャフトに配置される第１ギア及び前記第１ギアに噛み合う第２ギアを含み、前記駆動源の駆動力を前記カムシャフトに伝達するギア列と、を有し、
前記第２ギアは、前記第１ギアに対して、弾性的に噛み合っていることを特徴とする。
【発明の効果】
【００１１】
本発明によれば、ギア列に設けられるバックラッシュを最小限に抑えることができるので、バックラッシュに起因する傾斜角度変更時の衝撃音の発生を防止でき、静音性に優れる車両用ルームミラーを提供することができる。
【図面の簡単な説明】
【００１２】
【図１】実施の形態に係る電子ミラーの外観の一例を示す斜視図である。
【図２】電子ミラーの内部構成の一例を示す概略図である。
【図３】角度調整部の一例を示す図である。
【図４】モーターユニットの取付態様の一例を示す背面斜視図である。
【図５】モーターユニットのギア列を示す斜視図である。
【図６】モーターユニットのギア列を示す背面図である。
【図７】図６のＡ−Ａ切断線に沿うモーターユニットのギア列を、展開して示した図である。
【図８】カムシャフトのストッパー構造の一例を示す図である。
【図９】カムシャフトの回転に伴うカムシャフトの移動動作を示す図である。
【図１０】カムシャフトの回転に伴う可動部の傾動動作を示す図である。
【発明を実施するための形態】
【００１３】
以下、本発明の実施の形態を、図面を参照して詳細に説明する。
【００１４】
図１は、本発明を適用した実施の形態に係る電子ミラー装置１の外観の一例を示す斜視図である。図２は、電子ミラー装置１の内部構成の一例を示す図である。電子ミラー装置１は、例えば車両のフロントガラス近傍において、車室の天井に吊設され、後方視認のために用いられる。
【００１５】
本実施の形態では、直交座標系（Ｘ，Ｙ，Ｚ）を使用して説明する。後述する図においても共通の直交座標系（Ｘ，Ｙ，Ｚ）で示している。電子ミラー装置１は、Ｘ方向が左右方向、Ｙ方向が前後方向、Ｚ方向が上下方向となるように、車両に設置される。
【００１６】
図１、図２に示すように、電子ミラー装置１は、角度調整部１０、マジックミラー２１、液晶ディスプレイ２２、筐体２３、支持部２４、及び切替スイッチ２５等を備える。電子ミラー装置１は、マジックミラー２１の鏡面に映る反射像によって後方視認を行う第１の使用状態（ミラーモード）、及び液晶ディスプレイ２２の表示画像によって後方視認を行う第２の使用状態（ディスプレイモード）を有する。
【００１７】
筐体２３は、マジックミラー２１、液晶ディスプレイ２２及び角度調整部１０等を収容する。マジックミラー２１は最前面（筐体２３の開口部）に配置され、液晶ディスプレイ２２はマジックミラー２１の背面側（筐体２３の内部）に配置される。さらに、液晶ディスプレイ２２の背面側に、角度調整部１０が配置される。マジックミラー２１及び液晶ディスプレイ２２は、使用状態に応じて筐体２３と一体的に傾動する。
【００１８】
マジックミラー２１は、前面側（Ｙ方向基端側）からの入射光を反射するとともに、背面側（Ｙ方向先端側）からの入射光を透過する光学部材である。例えば、マジックミラー２１として、反射率と透過率が等しいハーフミラーを適用することができる。
【００１９】
液晶ディスプレイ２２は、液晶パネル及びバックライト（いずれも図示略）を有する。液晶ディスプレイ２２は、リアカメラ（図示略）で撮像された車両の後方視界の画像を表示する。液晶パネルは、マジックミラー２１と同様の外形または表示エリアに合わせた外形を有する。リアカメラは、後部座席の後方に配置され、リアガラスを介して車両の後方視界を撮像する。リアカメラは、車両の後部エンブレム（図示略）やルーフの後端部（図示略）に内蔵される等、車外に取り付けられてもよい。リアカメラは、電子ミラー装置１（液晶ディスプレイ２２）と有線通信又は無線通信可能に接続される。
【００２０】
支持部２４は、フロントガラスの上端部又は天井の前端部に取り付けられ、電子ミラー装置１を回動自在に支持する。支持部２４は、後述する固定部１３と、ボールジョイント２４ａを介して接続される。支持部２４のボールジョイントを中心に筐体２３を回動させることにより、運転者の目の位置（アイポイント）に合わせて、具体的には、第１の使用状態において、マジックミラー２１に映る後方視界の反射像を、運転者が視認できるように取付け角度が調整される。
【００２１】
切替スイッチ２５は、電子ミラー装置１の使用状態を切り替えるためのスイッチである。切替スイッチ２５が操作されると、現在の使用状態に基づいて、モーター１１１（図４参照）が正転又は逆転し、他方の使用状態に切り替わる。現在の使用状態は、例えば、カムシャフト１２（図３参照）に設けられた状態検知スイッチ（図示略）によって検知される。状態検知スイッチは、例えば第１の使用状態である場合にオンとなり、第２の使用状態である場合にオフとなる。
【００２２】
なお、液晶ディスプレイ２２は、切替スイッチ２５の操作に連動してオン／オフ制御が行われてもよいし、状態検知スイッチの検知結果に基づいてオン／オフ制御が行われてもよい。
【００２３】
第１の使用状態では、液晶ディスプレイ２２はオフ状態であり、運転者は、マジックミラー２１に映った反射像を視認する。一方、第２の使用状態では、液晶ディスプレイ２２はオン状態であり、運転者は、液晶ディスプレイ２２の表示画像を、マジックミラー２１越しに視認する。
【００２４】
角度調整部１０は、表示面の傾斜角度を、使用状態に応じて変更する。第２の使用状態では、筐体２３が全体的に第１の使用状態よりも上向きに傾斜する。これにより、マジックミラー２１における反射像の映り込みが低減され、液晶ディスプレイ２２の視認性が確保される。
【００２５】
図３は、角度調整部１０の一例を示す図である。図３Ａは、筐体２３の前面部、マジックミラー２１及び液晶ディスプレイ２２等を取り外して前面を開放した状態を示し、図３Ｂは、角度調整部１０を筐体２３から取り出した状態を示す。
【００２６】
図３に示すように、角度調整部１０は、駆動部１１、カムシャフト１２、及び固定部１３を有する。
【００２７】
駆動部１１は、モーター１１１と、ギア１０１〜１０６を含むギア列（図５参照）とを有するモーターユニットである（以下「モーターユニット１１」と称する）。モーターユニット１１は、モーター１１１の駆動力をカムシャフト１２に伝達し、カムシャフト１２を回転させる。モーターユニット１１の詳細な構成については後述する。
【００２８】
カムシャフト１２は、筐体２３の軸受２３ａに軸支される。カムシャフト１２は、軸方向の２箇所に、固定部１３と当接するカム１２１を有する。カムシャフト１２の一端側には、ギア列の最後段のギア１０６（ウォームホイール）が配置される。また、カムシャフト１２は、第１の使用状態において固定部１３の係合片１３ｂと係合する第１の係合部１２ｂと、第２の使用状態において固定部１３の係合片１３ｃと係合する第２の係合部１２ｃを有する（図８参照）。図８Ａは、角度調整部１０の背面側を示す図であり、図８Ｂは、カム１２１の周辺を示す拡大図である。
【００２９】
固定部１３は、ボールジョイント２４ａを介して、支持部２４と接続される。固定部１３は、上部両側に固定軸１３ａを有する。固定軸１３ａは、筐体２３の軸受（図示略）に軸支される。また、固定部１３は、カムシャフト１２の回転運動を規制する係合片１３ｂ、１３ｃを有する（図８、図１０参照）。カムシャフト１２の第１の係合部１２ｂ、第２の係合１２ｃ、及び固定部１３の係合片１３ｂ、１３ｃは、角度調整時の可動範囲を規制するストッパーを構成する。
【００３０】
モーター１１１の駆動力によってカムシャフト１２が回転すると、カム１２１の作用により、固定部１３に対して、カムシャフト１２が前面側（Ｙ方向基端側）又は背面側（Ｙ方向先端側）に移動する（図９参照）。筐体２３は、固定部１３の固定軸１３ａを軸支しているので、カムシャフト１２の移動に伴い、固定軸１３ａを中心に回動する。これにより、筐体２３、マジックミラー２１、液晶ディスプレイ２２及び駆動部１１を含む可動部の傾斜角度、すなわち表示面の傾斜角度が変化する（図１０参照）。図９、図１０には、それぞれ、第１の使用状態から第２の使用状態に移行するに際し、カムシャフト１２が前面側に移動する様子、可動部が上方に傾動する様子を示している。
【００３１】
図４は、モーターユニット１１の取付態様の一例を示す図である。図４Ａは、筐体２３の背面部だけを取り外した状態を示し、図４Ｂは、背面側のモーターブラケット１１２Ｒも取り外した状態を示す。
【００３２】
図４に示すように、モーターユニット１１は、筐体２３の一部を構成する内ケース２６に取り付けられる。具体的には、モーター１１１と、ギア１０１〜１０６を含むギア列とをモーターブラケット１１２Ｆ、１１２Ｒに組み付けた状態で、モーターブラケット１１２Ｆ、１１２Ｒで内ケース２６の板面を挟み、３箇所Ｆ１〜Ｆ３でねじ止めすることにより、モーターユニット１１は内ケース２６に固定される。
【００３３】
図５は、モーターユニット１１のギア列を示す斜視図である。図６は、モーターユニット１１のギア列を示す背面図である。図５Ａ、図６Ａは、モーターブラケット１１２Ｆ、１１２Ｒを取り付けた状態を示し、図５Ｂ、図６Ｂは、モーターブラケット１１２Ｆ、１１２Ｒを取り外した状態を示している。図７は、図６のＡ−Ａ切断線に沿うモーターユニット１１のギア列を、展開して示した図である。図７Ａは、モーターブラケット１１２Ｆ及び内ケース２６のみ断面で示し、図７Ｂは、モーターブラケット１１２Ｆ及び内ケース２６を含む全部を断面で示している。
【００３４】
図５〜図７に示すように、モーターユニット１１は、モーター１１１、モーターブラケット１１２Ｆ、１１２Ｒ、６個のギア１０１〜１０６を含むギア列、等を有する。
【００３５】
ギア１０１（ウォーム）は、モーター軸１０８に取り付けられ、ギア１０２と噛み合う。ギア１０２、１０３は、ギア１０１の回転に連動して回転する。ギア１０３は、ギア１０４と噛み合う。ギア１０４、シャフト１０７及びギア１０５（カムウォーム）は、ギア１０３の回転に連動して回転する。ギア１０５はギア１０６（カムホイール）と噛み合う。これより、モーター１１１の駆動力は、モーター軸１０８及びギア１０１を介してギア１０２、１０３に伝達され、さらにギア１０４、シャフト１０７及びギア１０５に伝達され、最終段のギア１０６に伝達される。これにより、ギア１０６が配置されたカムシャフト１２が回転し、表示面の傾斜角度が変化する。
【００３６】
ギア１０２、１０３は、所定の負荷が生じたときに駆動力の伝達を切断する、いわゆるクラッチギアである。具体的には、図７Ｂに示すように、ギア１０２は、ギア本体１０２ａと蓋体１０２ｂを有する。ギア本体１０２ａは、内周面に円環状の被挟持片１０２ｃを有する。モーターブラケット１１２Ｒに立設されたギア固定軸１１５に付勢部材である圧縮コイルばね１１６が挿通され、この状態でギア１０３、１０２が順に取り付けられ、圧縮コイルばね１１６で付勢された状態で固定される。このとき、ギア１０３と被挟持片１０２ｃとの間及び被挟持片１０２ｃと蓋体１０２ｂとの間には、フェルト１１７が配置される。
【００３７】
ギア１０３に負荷が生じていない場合は、ギア１０２、１０３は摩擦力により結合され、一緒に回転する。一方、カムシャフト１２の回転動作が規制されて、ギア１０３に負荷がかかると、ギア１０３は回転できず、ギア１０２だけが滑って回転する。つまり、モーター１１１は空転することになる。これにより、モーター１１１に負荷がかかることによる異音の発生を防止できる。
【００３８】
つまり、カムシャフト１２の回転動作が規制されると、ギア列は回転できなくなるため、短時間ではあるがモーター１１１に負荷がかかり、モーター軸１０８が動いて、異音を生じる虞がある。また、モーターに負荷がかかると、モーターユニットが取り付けられた筐体にも負荷が加わるため、筐体に歪みが発生し、異音を生じる虞がある。電子ミラー装置では、カムシャフト１２の回転動作が規制されギア列が回転できなくなった後は、モーター１１１は空転する。したがって、モーター１１１に負荷はかからないので、異音の発生を防止できる。
【００３９】
ギア１０４、シャフト１０７及びギア１０５は、モーターブラケット１１２Ｒに立設されたギア固定軸１１９及びモーターブラケット１１２Ｅに立設されたギア固定軸１１８によって両側から支持される。ギア固定軸１１８及びギア固定軸１１９は、シャフト１０７に開けられた挿入孔の底に、ギア固定軸１１８及びギア固定軸１１９の先端が密着するように配置される。これにより、シャフト１０７が１本のギア固定軸に挿通される場合に比較して軸方向のガタ取りが可能になる。また、軸先端と孔底面を円錐状にすることで負荷に強い構造となる。したがって、ギア列に負荷がかかることによる異音の発生を防止することができる。
【００４０】
モーターブラケット１１２Ｅは、ギア１０５の軸を固定する軸固定部材であり、モーターブラケット１１２Ｆに取り付けられる。モーターブラケット１１２Ｅは、板ばね等の弾性部材であり、ギア１０５をギア１０６に向けて付勢するように配置される。これにより、ギア１０５は、ギア１０６に対して弾性的に噛み合うことになる。
【００４１】
弾性的に噛み合うとは、ギア間に負荷がかかったとき、少なくとも一方のギア自体が持つ弾性、あるいは少なくとも一方のギアを固定する部材が持つ弾性により、負荷が緩和されるような噛み合わせ方を意味する。例えば、ギア列が弾性的に噛み合っている場合、回転動作によりギア列に負荷がかかったとしても、弾性部材の変形により負荷が緩和されるので、ギア列は回転を続けることができる。したがって、設計上、十分なバックラッシュを設けなくても、ギア列の回転が阻害されることはなく、また、バックラッシュに起因する衝撃音の発生を防止することができる。
【００４２】
つまり、ギア１０５、１０６において、十分なバックラッシュが設けられていると、表示面の傾斜角度の変更時にカムシャフトの移動に伴い負荷がかかり、バックラッシュが偏った状態となる。モーターの駆動が停止して負荷が解放されると、ギアの噛み合いが正常な状態に戻るが、この際に衝撃音が生じる。電子ミラー装置１では、ギア１０５、１０６におけるバックラッシュを最小限に抑えることができるので、このような衝撃音の発生を防止することができる。
【００４３】
上述したように、モーターユニット１１は、モーターブラケット１１２Ｆ、１１２Ｒに対してねじ止めされる。図７Ｂに示すように、固定箇所Ｆ１、Ｆ２において、モーターブラケット１１２Ｒと内ケース２６との間には、Ｏリング１１３Ａ、１１４Ａが介在する。また、モーターブラケット１１２Ｆと内ケース２６との間には、Ｏリング１１３Ｂ、１１４Ｂが介在する。固定箇所Ｆ３においても同様である。なお、モーターユニット１１を内ケース２６に固定する箇所は３箇所に限定されず、２箇所であってもよいし、４箇所以上であってもよい。
【００４４】
モーターブラケット１１２Ｒ、１１２Ｆは、Ｏリング１１３Ａ、１１３Ｂ、１１４Ａ、１１４Ｂがダンパーとして機能することにより、内ケース２６に対して弾性的に接触するので、ギア列に負荷が生じてもそれを吸収することができる。また、Ｏリング１１３Ａ、１１３Ｂ、１１４Ａ、１１４Ｂは、ギア１０５をギア１０６に対して付勢しているともいえる。すなわち、これらのＯリング１１３Ａ、１１３Ｂ、１１４Ａ、１１４Ｂも、モーターブラケット１１２Ｅと同様に、ギア１０５とギア１０６とを弾性的に噛み合わせる役割を果たしている。これによっても、バックラッシュに起因する衝撃音の発生を防止することができる。また、モーターユニット１１が直接的に内ケース２６と接触しないので、モーター１１１の振動が筐体に伝達され、駆動音が増幅されるのを防止できる。したがって、さらに静音性が向上する。
【００４５】
このように、本実施の形態に係る電子ミラー装置１（車両用ルームミラー）は、筐体２３と、筐体２３の前面に配置されるマジックミラー２１（ミラー）と、カム１２１を有し、筐体２３に軸支されるカムシャフト１２と、カム１２１に当接するとともに、筐体２３に軸支される固定部１３と、カムシャフト１２に、当該カムシャフト１２を回転させるための駆動力を付与するモーターユニット１１（駆動部）と、を備える。モーターユニット１１から伝達される駆動力により、カムシャフト１２が回転し、カム１２の作用により固定部１３に対してカムシャフト１２が移動することに伴い、筐体２３、マジックミラー２１及びモーターユニット１１を含む可動部が全体的に傾動する。モーターユニット１１は、モーター１１１（駆動源）と、カムシャフト１２に配置されるギア１０６（第１ギア）及びギア１０６に噛み合うギア１０５（第２ギア）を含み、モーター１１１の駆動力をカムシャフト１２に伝達するギア列と、を有する。ギア１０５は、ギア１０６に対して、弾性的に噛み合っている。
【００４６】
電子ミラー装置１によれば、ギア列に設けられるバックラッシュを最小限に抑えることができるので、バックラッシュに起因する表示面の角度変更時の衝撃音の発生を防止することができる。したがって、電子ミラー装置１は、極めて静音性に優れる。
【００４７】
以上、本発明者によってなされた発明を実施の形態に基づいて具体的に説明したが、本発明は上記実施の形態に限定されるものではなく、その要旨を逸脱しない範囲で変更可能である。
【００４８】
例えば、本発明は、電子ミラー装置だけでなく、防眩式ルームミラーにも適用できる。
【００４９】
ギア列に含まれるクラッチギアの構成は、実施の形態で説明した構成に限定されず、可動部に生じる負荷に応じて駆動源からの駆動力の伝達を切断できる構成であればよい。
【００５０】
本実施の形態ではモーターブラケット１１２ＥおよびＯリング１１３Ａ、１１３Ｂ、１１４Ａ、１１４Ｂの双方の効果によりギア１０５とギア１０６とを弾性的に噛み合わせていたが、何れか一方を適用しても良い。Ｏリング１１３Ａ、１１３Ｂ、１１４Ａ、１１４Ｂを設けていれば、モーターブラケット１１２Ｅは弾性部材ではない堅い部材でも良い。モーターブラケット１１２Ｅを弾性部材としていれば、Ｏリング１１３Ａ、１１３Ｂ、１１４Ａ、１１４Ｂを設けなくても良い。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５２】
本発明は、表示面の傾斜角度を電動で調整できる車両用ルームミラーに好適である。
【符号の説明】
【００５３】
１  電子ミラー装置（ルームミラー）
１０  角度調整部
１１  駆動部
１０１〜１０６  ギア
１１１  モーター
１１２Ｆ、１１２Ｒ、１１２Ｅ  モーターブラケット
１１３Ａ、１１３Ｂ、１１４Ａ、１１４Ｂ  Ｏリング
１１５、１１８、１１９  ギア固定軸
１１６  圧縮コイルばね
１１７  フェルト
１２  カムシャフト
１２１  カム
１２ｂ、１２ｃ  係合部（ストッパー）
１３  固定部
１３ｂ、１３ｃ  係止片（ストッパー）
２１  マジックミラー
２２  液晶ディスプレイ（表示装置）
２３  筐体
【図１】
2018052459.tif 000003
【図２】
2018052459.tif 000004
【図３】
2018052459.tif 000005
【図４】
2018052459.tif 000006
【図５】
2018052459.tif 000007
【図６】
2018052459.tif 000008
【図７】
2018052459.tif 000009
【図８】
2018052459.tif 000010
【図９】
2018052459.tif 000011
【図１０】
2018052459.tif 000012